(57)【特許請求の範囲】
【請求項１】
複数個のディスクが装填されるトレイを有し、装填中の複数個のディスクの中から選択された１個のディスクのトラックを再生しつつ、非再生中のディスクについては前記トレイの引出しにより交換自在になっており、また、装填中の複数個のディスクから任意のディスクの任意のトラックを選択し該トラックを再生する処理を繰り返すランダム再生モードを装備するディスクプレーヤにおいて、
ランダム再生モードで選択中のディスク（以下、「第１のディスク」と言う。）の選択トラックの再生が終了した場合に、前記トレイの引出し中のときは、次のトラックの選択は、前記トレイに連行されなかったディスクのトラックの中から行われるようになっているとともに、前記引出し中のトレイは、ユーザにより格納指示のあるまで、引出しを維持されるようになっていることを特徴とするディスクプレーヤ。
【請求項２】
前記次のトラックの選択は、第１のディスクのトラックから行われるようになっていることを特徴とする請求項１記載のディスクプレーヤ。
【請求項３】
前記次のトラックの選択に代えて、ランダム再生モードを終了するようにしたことを特徴とする請求項１記載のディスクプレーヤ。
【請求項４】
ランダム再生モードを終了したことをユーザに通知するようになっていることを特徴とする請求項３記載のディスクプレーヤ。
【請求項５】
前記次のトラックの選択に代えて、ランダム再生モードを一時中断し、前記引出し中のトレイの格納後、ランダム再生モードの一時中断が解除がされるようになっていることを特徴とする請求項１記載のディスクプレーヤ。
【請求項６】
ランダム再生モードを一時中断していることをユーザに通知するようになっていることを特徴とする請求項５記載のディスクプレーヤ。
【発明の詳細な説明】
【０００１】
【発明の属する技術分野】
本発明は、複数個のディスクを装填してランダム再生モードを装備するディスクプレーヤに関するものである。
【０００２】
【従来の技術】
所定のカローセルディスクプレーヤでは、トレイが、水平方向へ変位して、プレーヤ本体の筐体から引出し及び筐体内へ格納自在になっており、回転テーブルが、鉛直線の周りに回転自在にトレイに取り付けられ、例えば５枚の複数枚のディスクが、回転テーブルの回転軸線の周りに等角度間隔に載置される。そして、回転テーブルの各ディスク載置部には、回転テーブルの放射方向へ開口する所定寸法のＵ字状切欠きが形成され、回転テーブルの最奥部に位置する載置部のディスクは、Ｕ字状切欠きにより下面の所定部分を回転テーブルの下方へ露出している。トラバースは、筐体の奥部に配置され、上下方向へ移動自在であり、上側位置では、上昇して、回転テーブルの最奥部のディスク載置部のＵ字状切欠きを通過して、最奥部のディスクの露出面の一部を圧着し、該ディスクをディスク載置部から浮き上げるとともに、該ディスクを再生するようになっている。このようなカローセルディスクプレーヤでは、再生中のディスクは、回転テーブルのディスク載置部から浮き上がっているので、所定ディスク再生中にもかかわらず、非再生中のディスクについては、トレイを引出して、交換自在になっている。
【０００３】
一方、カローセルディスクプレーヤはランダム再生モードを装備し、ランダム再生モードでは、装填中の複数個のディスクから任意のディスクの任意のトラックが自動的に選択されて、該トラックを再生する処理を繰り返すようになっている。
【０００４】
【発明が解決しようとする課題】
従来のカローセルディスクプレーヤにおける全ディスク対象のランダム再生モードでは、選択中のディスクの選択トラックの再生が終了して、次に再生すべく選択したトラックが、直前に再生終了のディスクとは別のディスクに存在する場合には、引出し中のトレイをディスクプレーヤ本体へ自動的に格納するようになっている。したがって、ランダム再生モード中、トラックの再生の終わり間近には、ディスクの交換及び新たなディスクの装填ができ難いか、トレイ格納に間に合うようにユーザが素早く交換作業等を行うことを強いられたりするとともに、ユーザは、引出し指示したトレイがすぐにまた格納されてしまうのを見て、違和感を感じたりしている。
【０００５】
本発明の目的は、上述の問題点を克服するディスクプレーヤを提供することである。
【０００６】
【課題を解決するための手段】
第１の発明のディスクプレーヤによれば、複数個のディスクが装填されるトレイを有し、装填中の複数個のディスクの中から選択された１個のディスクのトラックを再生しつつ、非再生中のディスクについてはトレイの引出しにより交換自在になっており、また、装填中の複数個のディスクから任意のディスクの任意のトラックを選択し該トラックを再生する処理を繰り返すランダム再生モードを装備する。該ディスクプレーヤにおいて、ランダム再生モードで選択中のディスク（以下、「第１のディスク」と言う。）の選択トラックの再生が終了した場合に、トレイの引出し中のときは、次のトラックの選択は、トレイに連行されなかったディスクのトラックの中から行われるようになっているとともに、引出し中のトレイは、ユーザにより格納指示のあるまで、引出しを維持されるようになっている。
【０００７】
ディスクプレーヤは、少なくともカローセルディスクプレーヤを含むが、カローセルディスクプレーヤに限定されず、装填ディスクが鉛直方向へ積層的に配列されるバンク型ディスクプレーヤも含むものとする。カローセルディスクプレーヤでは、１個のトレイが、水平方向へ変位して、プレーヤ本体の筐体から引出し及び筐体内へ格納自在になっており、回転テーブルが、鉛直線の周りに回転自在にトレイに取り付けられ、例えば５枚の複数枚のディスクが、回転テーブルの回転軸線の周りに等角度間隔に載置される。そして、回転テーブルの各ディスク載置部には、回転テーブルの放射方向へ開口する所定寸法のＵ字状切欠きが形成され、回転テーブルの最奥部に位置する載置部のディスクは、Ｕ字状切欠きにより下面の所定部分を回転テーブルの下方へ露出している。トラバースは、筐体の奥部に配置され、上下方向へ移動自在であり、上側位置では、上昇して、回転テーブルの最奥部のディスク載置部のＵ字状切欠きを通過して、最奥部のディスクの露出面の一部を圧着し、該ディスクをディスク載置部から浮き上げるとともに、該ディスクを再生するようになっている。したがって、このようなカローセルディスクプレーヤでは、ディスクの再生を継続しつつ、トレイに載置される他のディスクは、トレイを引出して、交換自在になっている。バンク型ディスクプレーヤでは、装填するディスクごとに１個のトレイが用意され、所定ディスクの再生中も、非再生中のディスクは、対応のトレイの引出しにより交換自在になっている構造のものが存在する。ディスクとは、例えばＣＤであり、ディスクブレーヤとは例えばＣＤプレーヤである。
【０００８】
ランダム再生モードで第１のディスクのトラックの再生中にユーザが第１のディスクとは別のディスクをトレイに新たに装填したり、前のディスクを交換したりしているときに、第１のトラックの再生が終了しても、次の再生に選択されるトラックは、トレイの引出しに伴って引出されないディスクのトラックの中から行われるようになっているので、ユーザの引出したトレイは、格納される必要はなくなり、引出しを維持できる。こうして、ユーザは、ランダム再生モード中も、第１のトラックの再生終了を気にすることなく、ディスクの交換作業等を落ち着いて行うことができる。
【０００９】
第２の発明のディスクプレーヤによれば、第１の発明のディスクプレーヤにおいて、次のトラックの選択は、第１のディスクのトラックから行われるようになっている。
【００１０】
ランダム再生モード再生中のユーザによるディスク交換等の作業は、頻繁に起こるものではなく、時折り起こる程度である。したがって、ディスク交換等の作業時だけ、次に選択されるトラックも第１のディスクのトラックから選択されたとしても、全ディスク対象のランダム再生モードに対してユーザが違和感を感じることが少ない。また、次に選択されるトラックを第１のディスクのトラックから選択することにより、再生ディスクの変更がなく、トレイ引出し中の再生終了のトラックから次の再生開始のトラックへの移行を円滑化できる。なお、カローセルディスクプレーヤでは、トレイの引出しに伴い、その時に非再生中のディスクは全部、トレイと共に、引出されるので、次のトラックの選択は、第１のディスクのトラックの中からに限られる。
【００１１】
第３の発明のディスクプレーヤによれば、第１の発明のディスクプレーヤにおいて、次のトラックの選択に代えて、ランダム再生モードを終了するようにした。
【００１２】
ランダム再生モード中におけるディスクの交換等の作業が、第１のトラックの再生終了前までに間に合わなくても、ランダム再生モードを終了することにすれば、ユーザは、トレイの格納の心配なく、ディスク交換等の作業を行うことができる。
【００１３】
第４の発明のディスクプレーヤによれば、第３の発明のディスクプレーヤにおいて、ランダム再生モードを終了したことをユーザに通知するようになっている。
【００１４】
ユーザへのランダム再生モードの終了通知には、ディスプレイにおける視覚表示、及び／又はスピーカからの音声表示が含まれる。ユーザは、自分の知らない間にランダム再生モードが終了したことを回避できる。
【００１５】
第５の発明のディスクプレーヤによれば、第１の発明のディスクプレーヤにおいて、次のトラックの選択に代えて、ランダム再生モードを一時中断し、引出し中のトレイの格納後、ランダム再生モードの一時中断が解除がされるようになっている。
【００１６】
こうして、ディスクの交換等の作業が終了して、トレイが格納されると、一時中断していたランダム再生モードが再開され、ランダム再生モードを継続することができる。
【００１７】
第６の発明のディスクプレーヤによれば、第５の発明のディスクプレーヤにおいて、ランダム再生モードを一時中断していることをユーザに通知するようになっている。
【００１８】
ユーザへのランダム再生モードの終了通知には、ディスプレイにおける視覚表示、及び／又はスピーカからの音声表示が含まれる。視覚通知には、例えば、「トレイを閉めて下さい。」と言う文字表示がある。ユーザは、ランダム再生モードが一時停止状態にあることを知ることができる。
【００１９】
【発明の実施の形態】
以下、発明の実施の形態について図面を参照して説明する。
図１はランダム再生モードを第１の処理態様で実現するプログラムのフローチャートである。このランダム再生モード機能を装備するディスクプレーヤは、複数個のＣＤを装填可能であるカローセルディスクプレーヤを想定している。Ｓ１０では、ランダム再生モードになっているか否かを判定し、該判定がＹＥＳであれば、Ｓ１１へ進み、ＮＯであれば、該プログラムを終了する。Ｓ１１では、トラックの再生が終了した（このトラック再生終了には、ランダム再生モード開始時の１回目のランダム選曲より前で再生トラックが未定のときも含む。）か否かを判定し、該判定がＹＥＳになりしだい、Ｓ１２へ進む。Ｓ１２では、現在の再生モードが、カローセルディスクプレーヤの装填している全ディスクから任意のトラックを選択する全ディスク対象のランダム再生モードとなっているか、又は、今、再生を終了したトラックを含んでいるディスク（以下、「直前再生終了ディスク」と言う。）から任意のトラックを選択する同一ディスク対象のランダム再生モードになっているかを判定し、前者であれば、Ｓ１８へ進み、後者であれば、Ｓ１５へ進む。Ｓ１５では、同一ディスク対象のランダム再生モードで対象となっているディスク、すなわち直前再生終了ディスクの全トラックを対象としてランダム選曲を行う。Ｓ１８では、カローセルディスクプレーヤのトレイ状態を取得する。Ｓ１９では、トレイの引出し中か格納中かを判定し、引出し中であれば、Ｓ２４へ進み、格納中であれば、Ｓ１５へ進む。Ｓ２４では、全ディスクの全トラックを対象としてランダム選曲を行い、Ｓ２５へ進む。Ｓ２５では、Ｓ２４の選曲に対応するトラックが直前再生終了ディスクに含まれているか否かを判定し、該判定がＹＥＳであれば、Ｓ３２へ進み、ＮＯであれば、Ｓ２８へ進む。Ｓ２８では、選曲に対応するトラックを含むディスクを再生ディスク位置へ移動する。Ｓ３２では、再生ディスク位置のディスクの選曲対応のトラックを再生開始し、Ｓ１０へ戻る。
【００２０】
こうして、全ディスク対象のランダム再生モードで再生中のディスクの再生が終了したとき、トレイが開かれていれば、すなわちユーザがディスクの交換や新規装填等の作業しているときには、次の選曲は直前再生終了ディスクの全トラックを対象に行われ、トレイが格納中であれば、次の選曲は全ディスクの全トラックを対象に行われる。
【００２１】
図２はランダム再生モードを第２の処理態様で実現するプログラムのフローチャートである。図１との同一点は説明を省略し、相違点についてのみ説明する。図２のフローチャートでは、図１のフローチャートのＳ２８に代えて、Ｓ３６及びＳ３７が設けられる。Ｓ３６では、ランダム再生モードを終了する。Ｓ３７では、ランダム再生モードを終了した旨をカローセルディスクプレーヤのディスプレイに表示し、該プログラムを終了する。ランダム再生モードの終了の結果、ランダム再生モードにおけるランダム選曲に対応するトラックを含むディスクを再生ディスク位置へ移動する処理が消失するので、引出し中のトレイがユーザの意思に反してカローセルディスクプレーヤ内へ格納されることがなくなり、ユーザは落ち着いて引出し中のトレイのディスク交換やディスクの新規装填等の作業を行うことができる。また、ディスプレイにおけるランダム再生モード終了の表示により、ユーザは、ランダム再生のモードを終了を速やかに知ることができる。
【００２２】
図３はランダム再生モードを第３の処理態様で実現するプログラムのフローチャートである。図１との同一点は説明を省略し、相違点についてのみ説明する。図３のフローチャートでは、図１のフローチャートのＳ２５とＳ２８との間に、Ｓ４０〜Ｓ４２が挿入される。Ｓ４０では、ランダム再生モードを一時中断するとともに、一時中断したことを例えば「トレイを閉めて下さい。」のような文字表示でカローセルディスクプレーヤのディスプレイに表示する。。Ｓ４１では、トレイが引出し位置から格納位置へ変化したか否かを判定し、該判定がＹＥＳになりしだい、Ｓ４２へ進む。Ｓ４２では、ランダム再生モードの中断を解除して、Ｓ２８へ進む。第３の処理態様では、ユーザが引出しトレイに対する作業している間に、トラックの再生が終了しても、全ディスク対象のランダム再生モードが一時的に中断され、ユーザ作業の終了しだい、該ランダム再生モードが再開されるので、ユーザは、ランダム再生モード中、急いで、ディスク交換をしなくても済むとともに、ランダム再生モードの終了が回避される。
【図面の簡単な説明】
【図１】ランダム再生モードを第１の処理態様で実現するプログラムのフローチャートである。
【図２】ランダム再生モードを第２の処理態様で実現するプログラムのフローチャートである。
【図３】ランダム再生モードを第３の処理態様で実現するプログラムのフローチャートである。
【図１】
0003735245.tif 000002
【図２】
0003735245.tif 000003
【図３】
0003735245.tif 000004